(57)【要約】      （修正有）【課題】転写具保管時に、修正テープを保護し、縦型に収納できるカバー部材を設けることで、転写具の収納の小スペースに保管することができ、カバー部材が修正テープを保護できる転写具を提供する。【解決手段】ケース本体２に設けられた胴部１６の外周部に、一端部から他端部１９に向けて稼動自在に設けられたカバー部材３設ける。このカバー部材３を一端部側および他端部１９側の移動端部において係止するストッパー８及びストッパーを備えることで、他端部１９側の移動端部において係止して、上記テープガイドが露出し使用することができ、一端部側の移動端部において係止して、上記テープガイドを覆いキャップとして使用することができ、カバー部材３の一端部側の端面によりケース本体２を立設状態で支持可能に形成されている。【選択図】図１
0003144254.tif 000002
【実用新案登録請求の範囲】
【請求項１】
修正テープが巻回されたリールを収納し、一端部に上記リールから引き出された上記修正テープを送り出すテープガイドが設けられたケース本体と、このケース本体の上記テープガイド側の外周部に、上記一端部から他端部に向けて移動自在に設けられたカバー部材と、このカバー部材を上記一端部側および上記他端部側の移動端部において係止するストッパーとを備えてなり、
上記カバー部材は、上記他端部側への移動端部において上記テープガイドが露出し、上記一端部への移動端部において上記テープガイドを覆うとともに、上記一端部側の端面により上記ケース本体を立設状態で支持可能に形成されていることを特徴とする転写具。
【請求項２】
上記テープガイドから送り出される上記修正テープを修正箇所に押し付ける時に、上記カバー部材の下部に位置する表面と紙面との角度を４０〜７０度に傾斜可能となるように、上記ケース本体の上記一端部には、上記テープガイドに向けて漸次幅寸法が狭くなるテーパー状の尖端部が形成されていることを特徴とする請求項１に記載の転写具。
【請求項３】
上記ケース本体は、上記リールと上記テープガイドとの中間部に、上記修正テープを巻取り及び送出しする螺子が設けられ、かつ上記カバー部材は、上記他端部側への移動端部において上記螺子に臨む位置に、上記螺子を操作可能な開口部が形成されていることを特徴とする請求項１または請求項２に記載転写具。
【請求項４】
上記カバー部材の上記他端部側の表面には、凸状に形成された引っ掛け部が設けられていることを特徴とした請求項１〜３いずれかに記載の転写具。
【請求項５】
上記カバー部材は、上記テープガイドから送り出される上記修正テープを修正箇所に押し付ける時に上部に位置する表面に、滑り止め部を設けていることを特徴とする請求項１〜４いずれかに記載の転写具。
【考案の詳細な説明】
【技術分野】
【０００１】
本考案は、保管時に修正テープを保護するとともに、縦型に収納することができる転写具に関するものである。
【背景技術】
【０００２】
転写具は、勉学および仕事で文字を誤記した際に、消しゴムでは消すことのできない、油性ペンや水性ペンに関しても誤記を修正でき、かつ修正ペンと異なり修正液で誤記を修正しないので、乾燥を待つことなく、文字を修正できる等の使い易さから修正道具のひとつとして多用されている。
【０００３】
この転写具は、テープガイドを押し付け、修正部にあわせて転写具を移動することで、テープガイドから送り出された修正テープによって、シールのように修正部を覆うことにより、文字を修正する修正道具である。
【０００４】
ところで、一般的に使われている修正テープは、保管時に修正テープがむき出しの状態のものが多い。このように保管すると、テープガイド部の修正テープが一緒に保管している他の筆記用具等と摩擦して剥がれてしまい、転写具を使用する際、巻取り及び送出しする螺子を使用して新たな修正テープを出さなければならないという手間が生じ、かつ保管場所に修正テープが落ちてしまう。
【０００５】
そこで、テープガイドを保護するキャップ付の転写具が提案されている。この転写具を用いた場合には、テープガイドをキャップにより保護することで、修正テープを新たに出すことなく使用できる。
【０００６】
ところが、上記キャップは、テープガイドだけを保護する為のものであり、形状が小さいために、紛失し易いことが問題点である。
【０００７】
また、現在使われている転写具は手に収まる大きさではあるが、同じ文字を修正する修正道具の消しゴムと比較してみると大きく、保管時に収納する為の余分なスペースを要してしまうことになる。
【０００８】
そして、現在使われている転写具は、修正ラインを引くに際に、最適な角度が示されていないため、上記修正テープを修正箇所に押し付ける際、角度をつけ過ぎて修正テープが途中で切れてしまうことや、角度をつけなくて摩擦が無くなり修正テープが引けなくなることが問題点である。
【考案の開示】
【考案が解決しようとする課題】
【０００９】
本考案は、かかる事情に鑑みてなされたもので、転写具収納する際、キャップのように紛失することなく、修正テープを保護することができ、かつ保管時において、小スペースで置けることができ、また転写具を操作する際、自然に最適な角度で操作することができ、綺麗な修正ラインを引くことができる転写具を提供することを目的とするものである。
【課題を解決するための手段】
【００１０】
上記課題を解決するために、請求項１に記載の考案は、修正テープが巻回されたリールを収納し、一端部に上記リールから引き出された上記修正テープを送り出すテープガイドが設けられたケース本体と、このケース本体の上記テープガイド側の外周部に、上記一端部から他端部に向けて移動自在に設けられたカバー部材と、この上記カバー部材を上記一端部側および上記他端部側の移動端部において係止するストッパーとを備えてなり、上記カバー部材は、上記他端部側への移動端部において上記テープガイドが露出し、上記一端部への移動端部において上記テープガイドを覆うとともに、上記一端部側の端面により上記ケース本体を立設状態で支持可能に形成されていることを特徴とするものである。
【００１１】
請求項２に記載の考案は、上記テープガイドから送り出される上記修正テープを修正箇所に押し付ける時に、上記カバー部材の下部に位置する表面と紙面との角度を４０〜７０度に傾斜可能となるように、上記ケース本体の上記一端部には、上記テープガイドに向けて漸次幅寸法が狭くなるテーパー状の尖端部が形成されていることを特徴とするものである。
【００１２】
請求項３に記載の考案は、上記ケース本体は、上記リールと上記テープガイドとの中間部に、上記修正テープを巻取り及び送出しする螺子が設けられ、かつ上記カバー部材は、上記他端部側への移動端部において上記螺子に臨む位置に、上記螺子を操作可能な開口部が形成されていることを特徴とするものである。
【００１３】
請求項４に記載の考案は、上記カバー部材の上記他端部側の表面には、凸状に形成された引っ掛け部が設けられていることを特徴とするものである。
【００１４】
請求項５に記載の考案は、上記カバー部材は、転写具使用時に上部に位置する表面に滑り止め部を設けていること特徴とするものである。
【考案の効果】
【００１５】
請求項１に記載の本考案によれば、カバー部材を上記ケース本体の上記テープガイド側の外周部に上記一端部から他端部に向けて移動自在に設けているために、上記転写具使用時は、上記カバー部材を上記他端部側の移動端部に稼動させて、上記テープガイドが露出し使用することができる。かつ上記転写具保管時は、上記カバー部材を上記一端部側の移動端部に稼動させて、上記テープガイドを覆い上記修正テープを保護するキャップとなり、使用時に新たに修正テープを出すことなく使用することができる。そして、保管場所に修正テープが落ちることなく、清潔に保管することができる。
【００１６】
また、上記ケース本体の上記一端部側および上記他端部側の移動端部において、上記カバー部材が係止するストッパーを設けているために、上記転写具を使用する際も上記カバー部材が固定され、安定した状態で利用でき、かつ上記転写具保管時も上記カバー部材が固定され、ずれることなく上記修正テープを保護することができる。
【００１７】
そして、上記カバー部材が上記ケース本体の外周部を覆うように形成されているために、上記一端部側の端面により上記転写具を安定した立設状態で保つことが可能となり、横設状態より小スペースの収納ができる。
【００１８】
請求項２に記載の考案によれば、上記テープガイドから送り出される上記修正テープを修正箇所に押し付ける時に、上記カバー部材の下部に位置する表面と紙面との角度を４０〜７０度に傾斜可能となるように、上記ケース本体の上記一端部には、上記テープガイドに向けて漸次幅寸法が狭くなるテーパー状の尖端部が形成され、自然に最適な角度を保ち、安定した修正ラインを引くことができる。
【００１９】
請求項３に記載の本考案によれば、上記ケース本体に修正テープを巻取り及び送出しする螺子が設けられている場合に、上記カバー部材の上記他端部側への移動端部において係止すると、上記螺子が臨む位置に開口部を設けているために、上記カバー部材を外す手間もなく装着された状態でも容易に修正テープを巻取り及び送出しすることができる。
【００２０】
請求項４に記載の本考案によれば、上記カバー部材の上記他端部側の表面に、凸状の上記引っ掛け部を設けているために、指一本で容易に上記カバーを上記一端部から上記他端部に稼動させることができ、修正するまでの操作を片手で容易に行うことができる。
【００２１】
請求項５に記載の本考案によれば、上記転写具使用時、上記カバー部材の上部に位置する表面に上記滑り止め部を設けているために、しっかりと上記転写具を把持することができ、安定した修正ラインをひくことができる。
【考案を実施するための最良の形態】
【００２２】
以下、本考案の一実施形態を示す修正テープについて図１〜６を用いて説明する。
【００２３】
図１〜６に示すように、本考案の転写具１は、ケース本体２とカバー部材３の組み合わせにより概略構成されている。
【００２４】
ケース本体２は、上下面が幅広な断面方形筒状に形成され、内部に収納空間が設けられている。中央部に位置する胴部１６は、上下面の幅寸法が一端部１８側から他端部１９側に向けて、一定に形成されている。また、一端部１８は、上下面の幅寸法が胴部１６側から一端部１８側に向けて、漸次狭くなるテーパー状の尖端部２４が形成されている。また、他端部１９は、上下面が略円形状に形成されている。
【００２５】
そして、一端部１８の端面には、第１開口部１７が設けられ、この第１開口部１７にテープガイド１１が突出して設けられている。テープガイド１１の尖頭は、テープ幅方向に沿う端縁を有する偏平な形状で形成されている。また、胴部１６の外周の両側面は、一端部１８側から他端部１９側にかけて凹状の窪みが形成され、ガイド機構７が設けられている。このガイド機構７は、一端部１８側に凸状のストッパー９が設けられ、他端部１９側に凸状のストッパー８が設けられている。そして、胴部１６の上面には、一端部１８側から他端部１９側にかけて平行に３本の凸状の突起２２が設けられている。また、胴部１６の下面には、一端部１８側から他端部１９側にかけて平行に２本の突起２２が設けられている。
【００２６】
このケース本体２の収納空間には、他端部１９に、修正テープ１２が巻回される第１リール１４が設けられている。ここで、修正テープ１２は、テープ基材２３上に薄い修正塗料層が設けられている。そして、胴部１６には、テープ基材２３を巻き取る第２リール１５が設けられている。
【００２７】
また、第１リール１４と第２リール１５には、歯車が設けられ、第１リール１４と第２リール１５は歯合している。そして、第２リール１５には、マイナス状の窪みで形成された螺子５が設けられ、ケース本体２には、螺子５が臨む位置に、螺子５と同径の円状に形成された、第２開口部が設けられている。
【００２８】
カバー部材３は、胴部１６の外周を覆うように設けられ、上下面が幅広な断面方形筒状に形成されている。
【００２９】
このカバー部材３の上面には、カバー部材３が他端部１９側の移動端部において係止した際、螺子５が臨む位置に、螺子５と同径の円状に形成された第３開口部６が設けられている。また上面の他端部１９側は、他端部１９側へ半円状に湾曲し突出して形成され、この突出部から円弧状の突起で形成された引っ掛け部４が設けられている。
【００３０】
そして、カバー部材３は、下面に他端部１９側から凹状に形成された、切抜き２１が設けられている。
【００３１】
また、カバー部材３は、修正テープ１２を修正箇所に押し付ける時に上部に位置する側面（表面）に、一端部１８側から他端部１９に側にかけて凸状の突起で形成された滑り止め部１３が設けられている。
【００３２】
このカバー部材３の筒状の内壁には、ガイド機構７が臨む位置に、本体に向かって凸状の突起で形成された第３ストッパー１０が設けられている。
【００３３】
以上の構成からなる転写具１は、修正箇所を修正する際、引っ掛け部４に指を掛け、カバー部材３を他端部１９側に稼動させる。そして、ケース本体２の他端部１９側の移動端部において、カバー部材３の凸状に突出した第３ストッパー１０が、ケース本体の凸状の第２ストッパー９に係止される。これにより、カバー部材３が固定されるとともに、ケース本体２の第１開口部１７から突出したテープガイド１１が露出する。
【００３４】
そして、修正する紙面に、第１開口部１７から突出したテープガイド１１に送り出された修正テープ１２をテープガイド１１の尖頭で押し付け、転写具１を修正箇所に沿って稼動させ、修正テープ１２の修正塗料層を修正箇所に転着していく。その際に生じる摩擦により、第１リール１４からテープガイド１１に修正テープ１２が送り出され、テープガイド１１から折り返された修正テープ１２は、修正塗料層が転着した為に、テープ基材２３のみが、第１リールと、第２リール１５は歯合しているので、第２リール１５巻き取られていく。
【００３５】
また、転写具１を保管する際、引っ掛け部４に指を掛け、カバー部材３を一端部１８側に稼動させる。すると、ケース本体２の一端部１８側の移動端部において、カバー部材３の凸状に突出した第３ストッパー１０が、ケース本体２の凸状の第１ストッパー８に係止される。これにより、カバー部材３が、ケース本体２の第１開口部１７から突出したテープガイド１１を覆うキャップとなる。また、カバー部材３は、方形筒状で形成されており、一端部１８側の端面により立設状態で支持ができるので、転写具１を縦置きで保管する。
【００３６】
上述の実施形態の転写具１は、ケース本体２のガイド機構７により、カバー部材３を一端部１８側から他端部１９側にかけて移動自在に設けているため、使用時には、カバー部材３を他端部１９側へ稼動させて、テープガイド１１を露出し使用することができる。また保管時には、カバー部材３を一端部１８側へ稼動させて、テープガイド１１を覆うことで、修正テープ１２を保護するキャップとなり、保管場所に修正テープが落ちることなく、清潔に保管することができる。
【００３７】
そして、カバー部材３を一端部１８側に稼動させた際に、第３ストッパー１０が、ストッパー８に係止される。これにより、カバー部材３が固定され、転写具１を使用する際も、安定した状態で修正が可能である。
【００３８】
また、カバー部材３を一端部１８側に稼動させた際に、第３ストッパー１０が、ストッパー９に係止される。これにより、カバー部材３は固定され、テープガイド１１のキャップとしてもずれることなく転写具を保管ができる。
【００３９】
さらに、このカバー部材３は、方形筒状に形成されているために、一端部１８側の端面により転写具１を安定した立設状態で保つことが可能となり、横設状態より小スペースの収納ができる。
【００４０】
この転写具１は、螺子５を臨む位置に、ケース本体２の第２開口部２０及び、カバー部材３の第３開口部６が設けられている。これにより、カバー部材３装着時においても、例えば、指の爪や、マイナスドライバー等で、容易に螺子５を操作することができる。また、カバー部材３を外す手間なく、テープガイド１１への修正テープ１２の送出し及び巻取りを行うことができる。
【００４１】
このカバー部材３の上面に、他端部１９側へ半円状に湾曲して突出して形成され、この突出部の上面から円弧状の突起で形成された引っ掛け部４を設けているために、例えば親指でカバー部材３を稼動させる際に、指が固定され、指一本で容易に稼動させることができる。
【００４２】
また、カバー部材３の、修正テープ１２を修正箇所に押し付ける時に上部に位置する側面に、一端部１８側から他端部１９に側にかけて凸状の突起で形成された滑り止め部１３を設けているために、転写具１を使用する際、例えば、しっかりと人差し指を添えることができ、滑る事無く安定した状態で修正ラインを引くことができる。
【００４３】
テープガイド１１から送り出される修正テープ１２を修正箇所に押し付ける時に、カバー部材３の下部に位置する表面と紙面との角度を４０〜７０度に傾斜可能となるように、ケース本体２の一端部１８には、テープガイド１１に向けて漸次幅寸法が狭くなるテーパー状の尖端部が形成されているために、一端部１８側の角が当たることなく、自然に最適な角度を保ち、安定した修正ラインを引くことができる。
【００４４】
また、ケース本体２の他端部１９は、上下面が略円形状に形成されているために、ケース本体２を手で支えるのに適しており、力が入れやすく安定した状態で修正箇所を修正できる。
【００４５】
そして、ケース本体２の一端部１８と胴部１６の上部及び下部に、一端部１８側から他端部１９側にかけて凸状の突起２２を設けているために、ケース本体２とカバー部材３の間に間隔が形成され、カバー部材３を稼動する際、摩擦が減り、スムーズにカバー部材３が稼動する。
【００４６】
このカバー部材３の、下面に他端部１９側から凹状に形成された、切抜き２１を形成しているために、例えば、カバー部材３を引っ掛け部４を親指で稼動させた際に、ケース本体２の下面を人差し指で支えていても、カバー部材３が人差し指に接触することなく稼動できる。
【図面の簡単な説明】
【００４７】
【図１】本考案の一実施形態を示す修正テープの保管状態を示す斜視図である。
【図２】本考案の一実施形態を示す修正テープの使用時の斜視図である。
【図３】図１に示す修正テープ保管状態の実施図であり、（ａ）は正面図、（ｂ）は右側面図、（ｃ）は左側面図、（ｄ）は背面図、（ｅ）は正面図（ａ）の平面図、（ｆ）は背面図（ｄ）の平面図である。
【図４】図２に示す修正テープ使用状態の実施図であり、（ａ）は正面図、（ｂ）は右側面図、（ｃ）は左側面図、（ｄ）は背面図、（ｅ）は正面図（ａ）の平面図、（ｆ）は背面図（ｄ）の平面図である。
【図５】図３に示されている修正テープ保管状態のA−A側面断面図である。
【図６】図４に示されている修正テープ使用時のA−A側面断面図である。
【符号の説明】
【００４８】
１  転写具
２  ケース本体
３  カバー部材
４  引っ掛け部
５  螺子
６  第３開口部（開口部）
８  第１ストッパー（ストッパー）
９  第２ストッパー（ストッパー）
１０  第３ストッパー
１１  テープガイド
１２  修正テープ
１３  滑り止め部
１４  第１リール（リール）
１８  一端部
１９  他端部
２４  尖端部
【図１】
0003144254.tif 000003
【図２】
0003144254.tif 000004
【図３】
0003144254.tif 000005
【図４】
0003144254.tif 000006
【図５】
0003144254.tif 000007
【図６】
0003144254.tif 000008